(57)【要約】【課題】風切り効果があり、クッション性に優れ、卓球ラケットのエッジ部分を卓球台角などに打ちつけたときでも、ラケット自体やその使用者への衝撃を緩和することができる卓球ラケット用部材を提供すること。【解決手段】卓球ラケット本体（２）のエッジ面（２１）に巻いて取り付けて使用するテープであって、中空部（１１）を有するチューブで、立体形状の卓球ラケット用ラバーエッジテープ（１）である卓球ラケット用部材とすること。【選択図】図１
0003157054.tif 000002
【実用新案登録請求の範囲】
【請求項１】
卓球ラケットのエッジ面に巻いて取り付けて使用するテープであって、中空部を有するチューブで、立体形状のラバーエッジテープであることを特徴とする卓球ラケット用部材。
【請求項２】
卓球ラケットのエッジ面に巻いて取り付けて使用するテープであって、断面視三角形又はＤ型の中空部を有するチューブで、立体形状のラバーエッジテープであることを特徴とする卓球ラケット用部材。
【請求項３】
卓球ラケットのエッジ面に巻いて取り付けて使用するテープであって、断面視三角形又はＤ型の棒状で、立体形状のラバーエッジテープであることを特徴とする卓球ラケット用部材。
【考案の詳細な説明】
【技術分野】
【０００１】
本考案は、卓球ラケット用部材に関する。特にラケットのエッジ部分に取り付ける卓球ラケット用部材に関する。
【背景技術】
【０００２】
卓球用のラケットは、主にシェークハンド型とペンホルダー型があり、単板又は合板でできており、その両面又は片面にラバーシートを接着剤で貼り付けてある（例えば、特許文献１参照）。側面であるエッジ部分は層となったラバーシートの縁や基板の縁がむき出しになっている。層部分の肌隠しのために薄い布製のエッジテープが使用されている。
【０００３】
しかし、試合中などにラケットのエッジ部分を卓球台角などに誤って触ったり打ちつけたりすると、打ちつけた衝撃で、手がしびれたり、ラケットの打球面に貼ってあるラバー表面に亀裂が入ったりするおそれがある。試合中は原則的にラケットの交換が認められないため、不利な状態で試合をすることになるおそれもある。実際に、近年の大きな試合に起きている。
【先行技術文献】
【特許文献】
【０００４】
【特許文献１】特開２００９-６００８号公報
【考案の概要】
【考案が解決しようとする課題】
【０００５】
解決しようとする問題点は、卓球ラケットのエッジ部分を卓球台角などに打ちつけたときにラケット自体やその使用者に強いダメージが生じる点である。
【０００６】
したがって、本考案の第一の目的は、卓球ラケットのエッジ部分への衝撃を緩和する卓球ラケット用部材を提供することにある。
【課題を解決するための手段】
【０００７】
本考案の第１の態様は、卓球ラケットのエッジ面に巻いて取り付けて使用するテープであって、中空部を有するチューブで、立体形状のラバーエッジテープであることを特徴とする卓球ラケット用部材を提供する。
【０００８】
本考案の第１の態様によれば、卓球ラケットのエッジ部分を卓球台角などに打ちつけたときでも、ラケット自体やその使用者への衝撃を緩和することができる卓球ラケット用部材を提供することができる。中空のため軽量で、ラケット全体の重さにほとんど支障がない。さらに、クッション性に優れ、安価で、手軽に張り替えることができる。また、中空のため、内部に重りなどを入れて練習用に使うこともできる。
【０００９】
上記チューブは、断面視三角形又はＤ型の中空のチューブであることが好ましい。断面が三角形やＤ型であることにより、卓球ラケットのエッジ面に三角形の底辺やＤ型の平面側を張り付けて、衝撃緩和だけでなく、ラケットを振ったときに、風切り効果があり、打球にスピードや威力を与えることができる。また、ラケット全体の形状が新しくなり、恰好が良くなるため、デザイン性にも優れた機能美を実現できる。風切り効果は特に断面視三角形の中空のチューブとしたときに効果が著しい。
【００１０】
本考案の第２の態様は、卓球ラケットのエッジ面に巻いて取り付けて使用するテープであって、断面視三角形又はＤ型の棒状で、立体形状のラバーエッジテープであることを特徴とする卓球ラケット用部材を提供する。
【００１１】
本考案の第２の態様によれば、卓球ラケットのエッジ部分を卓球台角などに打ちつけたときでも、ラケット自体やその使用者への衝撃を緩和することができる。また、風切り効果があり、クッション性に優れ、安価で、手軽に張り替えることができる。
【考案の効果】
【００１２】
本考案によれば、卓球ラケットのエッジ部分への衝撃を緩和する。より詳細には、卓球ラケットのエッジ部分を卓球台角などに打ちつけたときでも、ラケット自体やその使用者への衝撃を緩和することができる。
【００１３】
また、本考案によれば、風切り効果があり、さらに、クッション性に優れ、安価で、手軽に張り替えることができる。また、これらの優れた効果を、軽量で実現できる。
【図面の簡単な説明】
【００１４】
【図１】本考案の卓球ラケット用部材の実施例１の斜視図である。
【図２】本考案の卓球ラケット用部材の実施例１のＡ-Ａ´切断部断面図である。
【図３】本考案の卓球ラケット用部材の実施例１の使用方法説明図である。
【考案を実施するための形態】
【００１５】
以下、本考案の卓球ラケット用部材について、添付図面を参照して実施例を用いて本考案の好適な実施の形態を具体的に説明するが、本考案はこれらに限定されるものではない。
【実施例１】
【００１６】
｛構造｝
図１は、本考案の卓球ラケット用部材の実施例１の斜視図である。図２は、本考案の卓球ラケット用部材の実施例１のＡ-Ａ´切断部断面図である。本考案の実施例１の卓球ラケット用部材は、卓球ラケット用ラバーエッジテープ（１）である。卓球ラケット本体（２）のエッジ面（２１）に巻いて取り付けて使用するテープで、従来の布製エッジテープと異なり、立体的な形状のエッジテープである。実施例１は、ゴム製のおにぎり型（三角形）で中空のチューブで、肉厚は各辺ともほぼ一定で、内部の中空部（１１）も三角形となっている。
【００１７】
本考案の実施例１の卓球ラケット用部材である卓球ラケット用ラバーエッジテープ（１）の長さは、卓球ラケット本体（２）の打球面（２２）の外周、すなわちエッジ面（２１）の長さと同程度である。実施例１では、卓球ラケット用ラバーエッジテープ（１）の長さ（チューブ長）は４３ｃｍである。長さはエッジ面（２１）全体を覆う程度あることが望ましいが４３ｃｍに限定されず、エッジ面（２１）の一部を覆う程度の長さであってもよい。持ち手（２３）側には取り付けない。断面は、実施例１では二等辺三角形で、三辺あるうち、底辺となる底面部（１３）の幅が、卓球ラケット本体（２）のエッジ面（２１）の幅、すなわち卓球ラケット本体（２）の厚みと同じかやや狭い程度である。実施例１では、底面部（１３）の幅は１．１ｃｍであるが、これに限定されない。ただし、底面部（１３）の幅は卓球ラケット本体（２）のエッジ面（２１）の幅より広いと使い勝手が悪い。基板の厚みなどによりエッジ面（２１）の幅が異なるため、底面部（１３）の幅は、使用するラケットに応じて０．８〜１．２ｃｍであってもよい。実施例１の卓球ラケット用ラバーエッジテープ（１）の断面の三角形の高さ、すなわち底辺から頂点までの距離は０．６ｃｍであるが、これに限定されない。頂点側を頭頂部（１２）とする。あまりに頭頂部（１２）までの高さが高すぎると卓球ラケット本体（２）の周囲に貼ったときにラケット全体の表面積が大きくなり不都合が生じ、一方低すぎると衝撃を十分吸収できないので、底面部（１３）の幅よりやや狭い程度が望ましい。卓球ラケット用ラバーエッジテープ（１）であるチューブの肉厚は０．１ｃｍである。肉厚は厚くても薄くても可能であるが、厚すぎると重くなり、薄すぎると破れやすくなるので、０．０８〜０．１２ｃｍであることが望ましい。実施例１では約２０ｇ程度で、卓球ラケット本体の１０％に過ぎない。若干底面の肉厚の方が三角形の側面の肉厚よりも厚い方が安定し、衝撃を受けた時の変形で卓球ラケット本体（２）から卓球ラケット用ラバーエッジテープ（１）が剥がれるトラブルを防げる。さらに、内部が空洞であるため、内部に重りなどを差し込んで練習用に使うことができる。例えば、内部に油を入れて滑りを良くして棒状のゴムなどの重り入れると、負荷をかけた素振りの練習に使うことができる。
【００１８】
本考案の実施例１の卓球ラケット用部材である卓球ラケット用ラバーエッジテープ（１）は、硬度４０°〜７０°のクロロプレンラバーで押出成型により成型してなる。クロロプレンラバーに限らず、たとえば、天然ゴムとスチレンブタジエンラバーの組み合わせでもよい。
【００１９】
｛使用方法｝
図３は、本考案の卓球ラケット用部材の実施例１の使用方法説明図である。本考案の実施例１の卓球ラケット用ラバーエッジテープ（１）は、卓球ラケット本体（２）のエッジ面（２１）に、両面接着テープなどの接着手段で卓球ラケット用ラバーエッジテープ（１）の底面部（１３）の側を貼り付けて使用する。頭頂部（１２）側が外側となり、卓球台角などに卓球ラケットが接触した際、エッジ面（２１）でなく、卓球ラケット用部材（１）の頭頂部（１２）がまず接触し、卓球ラケット本体（２）への衝撃を緩和する。
【００２０】
｛効果｝
本実施例によれば、卓球ラケットのエッジ部分に貼り付けることにより、打球面であるラバーや本体が層状になった側面、すなわちエッジ部分への直接の衝撃を吸収するので、卓球ラケットのエッジ部分を卓球台角などに打ちつけたときでも、ラケット自体やその使用者への衝撃を緩和することができる。すなわち、本実施例によれば、卓球ラケットのエッジ部分への衝撃を緩和する。
【００２１】
また、本実施例によれば、卓球ラケットに装着した際に、エッジ部分の外側が三角形の頂点側になるため、ラケットを振ったときに、従来平板状のエッジ部分に当たっていた風が、頂点側で二分され、風の抵抗を軽減するので、風切り効果があり、打球にスピードや威力を与えることができる。
【００２２】
さらに、本実施例を装着した卓球ラケットはエッジ部分が三角に尖っており、今までの平板型とデザインが全く異なるため、本実施例によれば、デザイン性にも優れた機能美を実現できる。本実施例の卓球ラケット用部材は、内部が空洞で、また弾力性があり、衝撃を変形して吸収しすぐに元の状態に戻る。クッション性に優れ、安価で、手軽に張り替えることができるので、誰でも使いやすく、けがの防止になる。
【００２３】
また、怪我の心配がないだけでなく、弾力性があるので、物が当たっても、元の形に戻るため、耐久性に優れている。
【００２４】
また、肉薄の中空チューブであるため、軽量で、卓球ラケットの総重量をほとんど増加させないので、試合においても重量の面で不利にならない。また、使うゴム量が少ないのでコストも安くて済む。
【００２５】
ゴムの押し出し成型で内部に空洞を有する状態で一度に大量に製造できるので、内部をくりぬくなどの切削が不要で、製造コストや製造工程が少なくて済む。
【００２６】
さらに、ゴムは製造時に着色が容易であるので、多種の色を揃えることができる。したがって、使用者が好みの色を使い、試合相手に、色による威圧感やスピード感を与えたり、自分のラケットを他者のラケットと容易に区別できたりする。
【００２７】
また、本実施例では、中空とした内部に重りを差し込めるので、本実施例を装着した卓球ラケットにおいて、チューブの中に鉛や油を塗ったゴムなどの重りを入れて、わざとラケットを重くした素振り練習用のラケットとしても利用できる。従来は、負荷をかけた素振りをしたい者は、打球面の裏などに鉛のシートを入れた練習用ラケットを別に用意していたが、本実施例によれば、一つのラケットで練習用と試合用を兼ね備えることができる。
【実施例２】
【００２８】
本考案の卓球ラケット用部材の実施例２は、上述した実施例１と、断面が三角形でなく横向きのＤ型である点以外は同じである。中空の蒲鉾のような形状で、Ｄ型の平面側がエッジ面に接着させる側で、半円状のアーチ部分が外側となる。長さや高さや肉厚は実施例１と同様である。風切り効果の程度は、実施例１よりやや劣るが、衝撃はアーチ部分全体に分散されやすく耐久性に優れている。また、今までの平板型とデザインが全く異なるため、本実施例によれば、デザイン性にも優れた機能美を実現できる。
【実施例３】
【００２９】
本考案の卓球ラケット用部材の実施例３は、上述した実施例１と、内部が中空のチューブ状でなく内部が詰まった棒（柱）状である点以外は同じである。実施例３では、重さは２〜２．５倍程度になるが弾力性は増す。
【００３０】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。例えば、内部が中空でなく棒状のＤ型であってもよく、また、中空のチューブ内に弾力性あるいは比重の異なるゴム等、別の材料を詰めてもよい。
【符号の説明】
【００３１】
１    卓球ラケット用ラバーエッジテープ
１１  中空部
１２  頭頂部
１３  底面部
２    卓球ラケット本体
２１  エッジ面
２２  打球面
２３  持ち手
【図１】
0003157054.tif 000003
【図２】
0003157054.tif 000004
【図３】
0003157054.tif 000005